(57)【要約】【課題】コネクタハウジングから後方へ導出される電線を導くことができ、且つ、ロックアームに対する操作を行いやすい構成を提供する。【解決手段】コネクタ１は、コネクタハウジング２に形成された複数のキャビティ１０の後方側に電線保持部４０が配置される。この電線保持部４０は、少なくとも一部が幅方向においてロックアーム６の配置領域ＡＲを避けた位置に設けられ、キャビティ１０から導出された電線８を、ロックアーム６の配置領域ＡＲから外れる側に寄せて保持し且つ上方側に導く構成となっている。【選択図】図１
2016201281.tif 000002
【特許請求の範囲】
【請求項１】
相手側ハウジングに対して嵌合可能に構成され、前後方向に延びるキャビティが前記前後方向と直交する幅方向において複数位置に形成されてなるコネクタハウジングと、
複数の前記キャビティにそれぞれ収容される複数の端子金具と、
前記コネクタハウジングの上面部側に形成され、前記コネクタハウジングが前記相手側ハウジングに対して正規の嵌合状態となった場合に前記相手側ハウジングを嵌合状態で保持するロックアームと、
複数の前記端子金具に接続され、複数の前記キャビティから後方へ導出される複数の電線と、
複数の前記キャビティの後方側に配置されるとともに少なくとも一部が前記幅方向において前記ロックアームの配置領域を避けた位置に設けられ、前記キャビティから導出された前記電線を、前記幅方向において前記ロックアームの配置領域から外れる側に寄せて保持する電線保持部と、
を有するコネクタ。
【請求項２】
前記電線保持部が、
前記幅方向において前記ロックアームの配置領域の中心位置よりも幅方向片側に寄った位置に前記幅方向片側を向いた規制壁面が構成され、当該規制壁面での支持により前記電線が前記中心位置側へ移動することを規制する規制壁と、
前記規制壁によって規制される前記電線が前記キャビティから導出される導出位置よりも後方側において前記規制壁に連結された形で配置されるとともに前記導出位置よりも上側に少なくとも一部が設けられ、前記規制壁に規制される前記電線の後方側への移動を規制可能に構成され且つ当該電線を上方側へ案内し得る構成とされた後壁と、
を有する請求項１に記載のコネクタ。
【請求項３】
前記電線保持部は、前記幅方向において前記ロックアームの配置領域から外れる側に前記電線を寄せつつ取り囲む構成をなす環状部を備え、
前記環状部は、上端部と下端部とが開放した形態をなし、且つ前記上端部から前記下端部まで続く分断部が形成され、前記分断部が弾性変形可能且つ開放可能とされている請求項１又は請求項２に記載のコネクタ。
【請求項４】
前記電線保持部は、前記前後方向及び前記幅方向に対して傾斜した傾斜壁面が構成されてなる傾斜壁を備え、
前記傾斜壁は、前記傾斜壁面の少なくとも一部が前記幅方向において前記ロックアームの配置領域よりも幅方向一方側に寄って配置されるとともに、前記傾斜壁面が少なくとも前記幅方向一方側に向いて配置され、前記傾斜壁面に沿って複数本の前記電線を配置しつつ前記電線の幅方向他方側への移動を規制する構成である請求項１から請求項３のいずれか一項に記載のコネクタ。
【発明の詳細な説明】
【技術分野】
【０００１】
本発明は、コネクタに関する。
【背景技術】
【０００２】
コネクタハウジングから導出される電線を案内する技術として、特許文献１のような技術が提案されている。特許文献１のカバー付きコネクタは、当該文献において図８、図１３等で開示されるように、コネクタハウジングの後端側にコネクタカバーが取り付けられ、コネクタカバーには、電線案内壁部が上方に向かって延出して形成されている。そして、この電線案内壁部は、コネクタハウジングから導出された電線を、その導出方向と直交する垂直上方向に方向転換させる形で案内するように機能する。
【先行技術文献】
【特許文献】
【０００３】
【特許文献１】特開２０１３−１１００２４号公報
【発明の概要】
【発明が解決しようとする課題】
【０００４】
ところで、特許文献１の技術は、当該文献の図６、図８等で開示されるように、電線案内壁部がロックアームの幅方向全領域に及ぶ構成でロックアームの真後ろに位置しており、コネクタハウジングのハウジング本体から導出される複数の電線は、ロックアームの真後ろの位置で電線案内壁部によって案内されることになる。つまり、電線案内壁部と、この電線案内壁部に案内される複数の電線とが、ロックアームの後方位置でロックアーム全体を広く覆い隠すように配置される構成となっている。このような構成では、後方側からロックアームを操作しようとしても、電線案内壁部や複数の電線が操作の邪魔になってしまうため、後方側からのロックアームの操作が非常に行いにくくなる。
【０００５】
本発明は、上述した事情に基づいてなされたものであり、コネクタハウジングから後方へ導出される電線を導くことができ、且つ、ロックアームに対する操作を行いやすい構成を提供することを目的とするものである。
【課題を解決するための手段】
【０００６】
本発明のコネクタは、相手側ハウジングに対して嵌合可能に構成され、前後方向に延びるキャビティが前記前後方向と直交する幅方向において複数位置に形成されてなるコネクタハウジングと、複数の前記キャビティにそれぞれ収容される複数の端子金具と、前記コネクタハウジングの上面部側に形成され、前記コネクタハウジングが前記相手側ハウジングに対して正規の嵌合状態となった場合に前記相手側ハウジングを嵌合状態で保持するロックアームと、複数の前記端子金具に接続され、複数の前記キャビティから後方へ導出される複数の電線と、複数の前記キャビティの後方側に配置されるとともに少なくとも一部が前記幅方向において前記ロックアームの配置領域を避けた位置に設けられ、前記キャビティから導出された前記電線を、前記幅方向において前記ロックアームの配置領域から外れる側に寄せて保持する電線保持部と、を有する。
【発明の効果】
【０００７】
本発明は、電線保持部が、複数のキャビティの後方側において、キャビティから導出された電線をロックアームの配置領域から外れる側（即ち、幅方向においてロックアームの中心位置から遠ざかる側）に寄せて保持するように機能する。このように電線保持部によって電線を寄せることで、寄せられる側とは反対側（即ち、ロックアームの配置領域側）には、電線が存在しない空間が広く確保されやすくなる。ゆえに、ロックアームを後方側から操作する場合に、その空間を経路としてロックアームに容易にアクセスしやすくなり、ロックアームに対する操作が行いやすくなる。
【図面の簡単な説明】
【０００８】
【図１】実施例に係るコネクタの平面図である。
【図２】図１のコネクタの側面図である。
【図３】図１のコネクタの背面図である。
【図４】図３のＡ−Ａ断面図である。
【図５】図１のコネクタにおいてコネクタハウジングと電線保持部材とが分離した状態を示す平面図である。
【図６】図１のコネクタにおいてコネクタハウジングと電線保持部材とが分離した状態を示す側面図である。
【発明を実施するための形態】
【０００９】
本発明の好ましい形態を以下に示す。
本発明において、前記電線保持部は、前記幅方向において前記ロックアームの配置領域の中心位置よりも幅方向片側に寄った位置に前記幅方向片側を向いた規制壁面が構成され、当該規制壁面での支持により前記電線が前記中心位置側へ移動することを規制する規制壁と、前記規制壁によって規制される前記電線が前記キャビティから導出される導出位置よりも後方側において前記規制壁に連結された形で配置されるとともに前記導出位置よりも上側に少なくとも一部が設けられ、前記規制壁に規制される前記電線の後方側への移動を規制可能に構成され且つ当該電線を上方側へ案内し得る構成とされた後壁と、を備えていてもよい。
【００１０】
この構成によれば、規制壁の壁面（規制壁面）によって電線を安定的に受け、電線が中心側（ロックアームの幅方向中心位置側）に移動しすぎないように規制することができる。また、このように規制された電線が後方側にずれてしまうことを規制壁に連結された後壁によって防ぐことができ、且つ電線を上方側に安定的に導きやすくなる。
【００１１】
本発明において、前記電線保持部は、前記幅方向において前記ロックアームの配置領域から外れる側に前記電線を寄せつつ取り囲む構成をなす環状部を備えていてもよい。この場合、前記環状部は、上端部と下端部とが開放した形態をなし、且つ前記上端部から前記下端部まで続く分断部が形成され、前記分断部が弾性変形可能且つ開放可能とされていることが望ましい。
【００１２】
この構成によれば、環状部によって取り囲む形で電線を保持することができるため、電線が電線保持部から離脱しにくくなり、より安定的に保持されやすくなる。しかも、環状部には、弾性変形可能且つ解放可能な分断部が形成されているため、電線を環状部に保持させる組み付け作業の際には、分断部を弾性変形させて開放すれば、簡単な横移動によって電線を容易に環状部内に入り込ませることができる。よって、作業性が効果的に高められる。
【００１３】
本発明において、前記電線保持部は、前記前後方向及び前記幅方向に対して傾斜した傾斜壁面が構成されてなる傾斜壁を備えていてもよい。この場合、前記傾斜壁は、前記傾斜壁面の少なくとも一部が前記幅方向において前記ロックアームの配置領域よりも幅方向一方側に寄って配置されるとともに、前記傾斜壁面が少なくとも前記幅方向一方側に向いて配置され、前記傾斜壁面に沿って複数本の前記電線を配置しつつ前記電線の幅方向他方側への移動を規制する構成であることが望ましい。
【００１４】
このような傾斜壁を設けることにより、複数の電線を幅方向一方側に寄せながら保持する構造を、前後方向の寸法抑制及び左右方向の寸法抑制を両立しつつ実現できる。
【００１５】
＜実施例＞
以下、実施例を図１〜図６に基づいて説明する。
図１〜図６で例示するコネクタ１は、例えば車載用の雌コネクタとして構成されており、雄コネクタとして構成される相手側コネクタ１００（図２で概念的に示す雄コネクタ）に対して嵌合可能且つ離脱可能に構成されたものである。このコネクタ１は、図４で示すように、主として、コネクタハウジング２と、コネクタハウジング２の内部に収容される端子金具４と、端子金具４に連結される電線８と、コネクタハウジング２に組み付けられる電線保持部材３０と、を備えている。
【００１６】
以下の説明では、図２、図４の左右方向を前後方向とし、図２、図４での左方を前方とする。つまり、図４で示すキャビティ１０（後述）の延びる方向が前後方向であり、このキャビティ１０の挿入口１０Ａ側が前方側となっている。また、図１、図３の左右方向を幅方向としており、複数のキャビティ１０が並ぶ方向が幅方向となっている。更に、上下方向は、図２〜図４を基準とする。具体的には、上述した前後方向及び幅方向と直交する方向が上下方向となっている。
【００１７】
図４で示すように、コネクタハウジング２は、合成樹脂製の雌コネクタハウジングとして構成され、図２のように相手側ハウジング１０２（雄コネクタハウジング）に嵌合し得る構造となっている。このコネクタハウジング２は、図５、図６のように、角ブロック状のハウジング本体５と、ハウジング本体５に連結される形でハウジング本体５と一体的に構成された可動部としてのロックアーム６とを有している。また、図５、図６のように、コネクタハウジング２とは別の部材として電線保持部材３０が設けられ、この電線保持部材３０が、コネクタハウジング２の後端部側に着脱可能に組み付けられるようになっている。
【００１８】
図４で示すようにコネクタハウジング２の内部には、前後方向に延びるキャビティ１０が形成されている。そして、キャビティ１０は、図３で示すように複数個（図３では６個）が幅方向に一列に並んだ形態で幅方向複数位置に形成されている。
【００１９】
図４で示すように、各キャビティ１０は、コネクタハウジング２の内部を前後方向に貫通する貫通孔として形成され、前端部には、キャビティ１０の内部空間とその前方側の外部空間とを連通する挿入口１０Ａが形成されている。そして、各キャビティ１０の後端部には、キャビティ１０の内部空間とその後方側の外部空間とを連通する開口部１０Ｂが形成されている。挿入口１０Ａは、コネクタ１を相手側コネクタ１００（図２）と嵌合させる際に、図示しない相手側端子金具（雄端子金具）のタブをキャビティ１０の内部空間に進入させるための開口部分である。また、開口部１０Ｂは、細長に構成される端子金具４をキャビティ１０の内部に挿入して配置する際の入口となる開口部分であり、電線８をキャビティ１０から外側に導出するための導出口としても機能する。
【００２０】
図４で示す端子金具４は、導電性の金属板に対して曲げ加工等を施して形成されたものであり、前端部側には角筒状の本体部４Ａが形成されている。更に、本体部４Ａの後方側には電線８との接続を保持するバレル部が形成されている。バレル部としては、電線芯線にかしめられるワイヤバレル４Ｂと電線被覆にかしめられるインシュレーションバレル４Ｃとが設けられている。また、本体部４Ａの内部には、図示しない弾性接触片が撓み変形可能に形成されている。図４で示すコネクタハウジング２が相手側ハウジング１０２（図２）と嵌合する際には、相手側端子金具（図示略）のタブが前方側から挿入口１０Ａを介してキャビティ１０の内部に入り込み、本体部４Ａの内部に挿入される。そして、本体部４Ａ内では、そのタブに弾性接触片が弾性的に接触し、この接触によって端子金具４と相手側端子金具とが電気的に接続される。
【００２１】
図３で示すいずれのキャビティ１０でも、図４のように、キャビティ１０の内部において前後方向中央部付近には、端子金具４と係止可能なランス１２が、斜め前方へ向けて片持ち状かつ撓み可能に設けられている。一方、端子金具４の本体部４Ａには、下向きに開口した孔部４Ｄが形成されている。そして、いずれのキャビティ１０でも、端子金具４が正規位置まで挿入されたときには、孔部４Ｄ内にランス１２の一部が入り込んだ係止状態となり、挿入された端子金具４をランス１２が抜け止めするように機能する。また、図４で示すように、コネクタハウジング２の下面部においてランス１２の後方側には、リテーナ挿入孔１４が開口形態で形成されている。そして、リテーナ１６は、リテーナ挿入孔１４に嵌合するとともに本体部４Ａの後端部側を係止させ得る形態で装着される。
【００２２】
図１、図２で示すロックアーム６は、コネクタハウジング２が相手側ハウジング１０２（図２）に対して正規の嵌合状態となった場合に相手側ハウジング１０２を嵌合状態で保持するように機能する部分である。このロックアーム６は、図１のようにハウジング本体５の上面部５Ａに連結された構成となっており、図４のように、コネクタハウジング２の前端部付近から後方側に片持ち状に延出し、その前端部付近を支点として上下に撓み変形し得る構造となっている。更に、ロックアーム６の上面側において長さ方向（延出方向）の中央部付近には、上方側に突出するロック突起６Ａが形成されている。更に、ロックアーム６の後端部には、幅広く構成された解除操作部６Ｂが形成されている。
【００２３】
このように構成されるロックアーム６は、上面が押されていない自然状態のときに図４のような姿勢となる。そして、コネクタハウジング２に相手側ハウジング１０２（図２）を嵌合させる際の嵌合途中では、相手側ハウジング１０２とロック突起６Ａとの干渉に起因してロックアーム６の上面を押し下げる押圧力が加わる。このとき、ロックアーム６は、その前端部を支点として先端側（後端側）が下方に撓むように弾性変形する。その後、コネクタハウジング２が更に移動して相手側ハウジング１０２と正規の嵌合状態になるときには、ロックアーム６が上方に弾性復帰し、図２のように、ロック突起６Ａが、その相手側ハウジング１０２に形成された係止部１０２Ａに係止する。この係止状態により、係止部１０２Ａがロック突起６Ａよりも前方側に移動すること（即ち、相手側ハウジング１０２が前方側から抜けること）が規制され、コネクタハウジング２と相手側ハウジング１０２とが嵌合した状態で維持される。また、このような嵌合状態を解除する場合には、図１、図４で示す解除操作部６Ｂを下方へ押し下げれば、図２で示す係止部１０２Ａとロック突起６Ａとを離間させて係止状態を解除することができ、コネクタハウジング２を相手側ハウジング１０２から離脱可能となる。
【００２４】
図１にて概念的に示すように、電線８は、導体の外周を絶縁被覆によって全周に亘って包囲した周知形態のものとなっている。図４で示すように、電線８の前端部付近は、絶縁被覆が除去されて導体が露出した状態となっており、露出した導体は、ワイヤバレル４Ｂによってカシメ付けられることで端子金具４に対して導通状態で固着されている。また、導体を絶縁被覆で包囲した領域の前端部付近は、インシュレーションバレル４Ｃによってカシメ付けられることで固着されている。なお、図１では、電線８については断面構造を概略的に示しており、図２〜図４では、各電線８の一部を省略して示している。
【００２５】
本実施例では、図３のように幅方向に並ぶ各キャビティ１０の内部に上述した端子金具４（図４）がそれぞれ収容されており、更には、上述した構造をなす電線８が、各々の端子金具４に接続された形でそれぞれ配置されている。これら複数の電線８は、図３のように、複数のキャビティ１０の後端側の各開口（各開口部１０Ｂ）から各キャビティ１０の後方の外側へそれぞれ導出され、後述する電線保持部材３０によって案内されつつ保持されるようになっている（図４も参照）。
【００２６】
図１〜図４で示すように、電線保持部材３０は、コネクタハウジング２の後端部付近に連結される形で配置される。この電線保持部材３０は、例えば合成樹脂材料によって構成され、図２〜図４のように、コネクタハウジング２の後方側を部分的に覆うコネクタカバーとして機能する。図５のように、電線保持部材３０は、前面部において前方側に突出する形態で一対の突出部３２Ａ，３２Ｂが形成され、幅方向両端部付近には、幅方向中心側に突出する一対の爪部３４Ａ，３４Ｂが形成されている。一方、コネクタハウジング２には、突出部３２Ａ，３２Ｂを挿入するための挿入領域（図示略）と、爪部３４Ａ，３４Ｂを係止するための係止部２Ａ，２Ｂとが構成されている。そして、コネクタハウジング２に電線保持部材３０が組み付けられる際には、一対の突出部３２Ａ，３２Ｂがコネクタハウジング２の挿入領域に対して後端部側から挿入され、一対の爪部３４Ａ，３４Ｂがコネクタハウジング２の両側部の係止部２Ａ，２Ｂにそれぞれ係止することにより、図１のような組み付け状態となる。
【００２７】
図１のように、電線保持部材３０には、コネクタハウジング２の後端側から導出される電線８を保持可能な一対の電線保持部４０が設けられている。図３のように複数のキャビティ１０から導出される複数の電線８は、図１、図３のように２つの電線保持部４０によって２位置で束ねられた形で保持されるようになっている。
【００２８】
図１のように、電線保持部材３０に形成された一対の電線保持部４０はいずれも、幅方向に並ぶ複数のキャビティ１０（図３、図４）の後方側において、幅方向におけるロックアーム６の配置領域ＡＲを避けて配置されている。図１の例では、一対の電線保持部４０の一方をなす電線保持部４０Ａも、他方をなす電線保持部４０Ｂも、内壁部４１（内周の壁部）の全体がロックアーム６の配置領域ＡＲよりも幅方向外側に配置されている。つまり、両電線保持部４０Ａ，４０Ｂはいずれも、ロックアーム６と前後に重ならない位置関係となっている。
【００２９】
図１において左側に設けられた電線保持部４０Ａと右側に設けられた電線保持部４０Ｂとは、左右対称形状となっている。そして、電線保持部４０Ａ，４０Ｂのいずれも、幅方向においてロックアーム６の配置領域ＡＲから外れる側に複数本の電線８を寄せつつ取り囲む構成をなす環状部として構成されている。
【００３０】
図３のように、電線保持部４０Ａは、幅方向に並ぶ複数のキャビティ１０のうちの幅方向第一側（図１において左側、図３において右側）の３つのキャビティ１０から導出された３つの電線８を、幅方向においてロックアーム６の配置領域ＡＲから外れる側に寄せて保持し且つ上方側に導くように案内する。具体的には、図１のように、電線保持部４０Ａの内壁部４１の全体が、幅方向においてロックアーム６の配置領域ＡＲよりも第一側（図１において左側）に外れて配置されている。このため、少なくとも電線保持部４０Ａの内壁部４１の内側では、３つの電線８が、幅方向においてロックアーム６の配置領域ＡＲよりも第一側（図１において左側）の外側に外れた状態で強制的に保持される。
【００３１】
図３のように、電線保持部４０Ｂは、幅方向に並ぶ複数のキャビティ１０のうちの幅方向第二側（図１において右側、図３において左側）の３つのキャビティ１０から導出された３つの電線８を、幅方向においてロックアーム６の配置領域ＡＲから外れる側に寄せて保持し且つ上方側に導くように案内する。具体的には、図１のように、電線保持部４０Ｂの内壁部４１の全体が、幅方向においてロックアーム６の配置領域ＡＲよりも第二側（図１において右側）に外れて配置されている。このため、少なくとも電線保持部４０Ｂの内壁部４１の内側では、３つの電線８が、幅方向においてロックアーム６の配置領域ＡＲよりも第二側（図１において右側）の外側に外れた状態で強制的に保持される。
【００３２】
図１等を参照して電線保持部４０Ａ，４０Ｂの形状をより詳しく説明すると、これら電線保持部４０Ａ，４０Ｂはいずれも、上端部と下端部とが開放した環状形態をなしており、上下に連通した孔状の構造となっている。図１のように、電線保持部４０Ａ，４０Ｂのいずれにも、上端部から下端部まで続く分断部４６が形成され、環状構造の一部が切り欠かれた形態で上下に分断されている。更に、いずれの分断部４６も、弾性変形可能且つ開放可能とされており、分断部４６を弾性変形させることで、周方向の一部に構成される隙間の大きさを変化させ得る構成となっている。なお、電線保持部４０Ａ，４０Ｂは左右対称の形状であり、同様の機能を有するため、以下では、一方の電線保持部４０Ａに着目して説明する。
【００３３】
図１のように、電線保持部４０Ａには、ロックアーム６の配置領域ＡＲの幅方向中心位置Ｃよりも幅方向第一側（図１において左側）に寄った位置に規制壁４２が形成されている。この規制壁４２の壁面（規制壁面４２Ａ）は、前後方向及び幅方向に対して傾斜した壁面となっており、幅方向第一側（図１での左側）且つ後方側を向いた壁面となっている。更に、規制壁面４２Ａは、その全体が、幅方向においてロックアーム６の配置領域ＡＲよりも第一側（図１での左側）に外れており、後方側となるにつれて幅方向中心側（中心位置Ｃ側）に近づくような壁面となっている。電線保持部４０Ａでは、このように傾斜した規制壁面４２Ａに沿うように複数本（図１では３本）の電線８を整列させつつ配置することで、これら電線８を幅方向第一側（図１での左側）に寄せた状態を維持しつつ、第二側（図１での右側）へ移動することを規制している。
【００３４】
なお、図１、図３で示す例では、電線保持部４０Ａに保持される複数の電線８は、キャビティ１０からの導出位置が中心位置Ｃに近いものほど、電線保持部４０Ａ内では、幅方向において中心位置Ｃ側に配置され且つ後方側に配置されるように整列される。逆に言えば、キャビティ１０からの導出位置が中心位置Ｃから遠いものほど、電線保持部４０Ａ内では、幅方向外側且つ前方側に配置されており、このような並び方で効率的に整列されている。また、図３のように、いずれの電線８も、キャビティ１０の付近では導出位置よりも幅方向外側に案内されて湾曲状態で配置されている。
【００３５】
図１のように、電線保持部４０Ａには、規制壁４２に一体的に連結された形で後壁４４が形成されている。図４のように、後壁４４は、電線保持部４０Ａで保持される電線８（図１のように規制壁４２によって規制される３つの電線８）がキャビティ１０から導出される導出位置（図３において右側に配置される３つのキャビティ１０の開口部１０Ｂの位置）よりも後方側に配置されている。更に、後壁４４は、図３、図４のようにキャビティ１０から電線８が導出される位置（開口部１０Ｂの位置）よりも上側に全体が配置され、この位置において上下に延びるような立ち上がり形態となっている。このように構成される後壁４４は、規制壁４２によって幅方向中心側への移動が規制された電線８が後方側にも移動しないように規制する機能を有し、図３、図４のように、それらの電線８を後方側に倒れ込ませずに上方側に案内し得る構成となっている。
【００３６】
なお、もう一方の電線保持部４０Ｂも、詳述した電線保持部４０Ａと同様の構成となっており、傾斜した規制壁面４２Ａに沿うように複数本（図１では３本）の電線８を整列させつつ配置し得る構成となっている。これにより、これら電線８を幅方向第二側（図１での右側）に寄せた状態を維持しつつ、第一側（図１での左側）へ移動することを規制している。また、この電線保持部４０Ｂに設けられた後壁４４も、保持される電線８（電線保持部４０Ｂの規制壁４２に規制される３つの電線８）の後方側への移動を規制する機能を有し、これら電線８を上方側へ案内し得る構成となっている。
【００３７】
ここで、本実施例の効果を例示する。
本実施例のコネクタ１では、図１〜図４のように、コネクタハウジング２に形成された複数のキャビティ１０（図３、図４）の後方側に、キャビティ１０から導出された電線８を上側に導くように２つの電線保持部４０が設けられている。よって、キャビティ１０から導出された電線８を、導出の向き（前後方向の向き）から方向転換して上方側に導くように配置することができ、このような電線配置が望まれる用途で有利な構成となる。しかも、各電線保持部４０は、複数のキャビティ１０の後方側においてキャビティ１０から導出された電線８をロックアーム６の配置領域ＡＲから外れる側（即ち、幅方向においてロックアーム６の中心位置Ｃから遠ざかる側）に寄せて保持するように機能する。ゆえに、寄せられた側とは反対側には、電線８が存在しない空間が生じやすくなる。具体的には、図３のように、一方の電線保持部４０Ａよりも中心位置Ｃに近い側、及び他方の電線保持部４０Ｂよりも中心位置Ｃに近い側に、電線８が存在しない広い空間５０が生じることになる。よって、ロックアーム６を後方側から操作する場合に、その空間５０を経路としてロックアーム６に容易にアクセスすることができるようになり、ロックアーム６に対する操作が行いやすくなる。
【００３８】
また、本実施例では、電線保持部４０Ａ，４０Ｂのいずれにおいても、電線８がロックアーム６の中心位置側に移動しないように両規制壁４２の両壁面（規制壁面４２Ａ）によって安定的に受けることができる。更に、両規制壁４２にそれぞれ連結された形で各後壁４４が設けられているため、規制された電線８が後方側にずれて外れてしまうことを、各後壁４４によって防ぐことができ、且つ電線８を上方側に安定的に導きやすくなる。
【００３９】
また、本実施例では、各電線保持部４０Ａ，４０Ｂが環状部として構成され、各電線保持部４０Ａ，４０Ｂによって取り囲む形で電線８を保持する構成となっている。この構成によれば、電線８が各電線保持部４０Ａ，４０Ｂから離脱しにくくなり、より安定的に保持されやすくなる。しかも、環状部として構成される各電線保持部４０Ａ，４０Ｂには、弾性変形可能且つ解放可能な分断部４６が形成されている。このため、電線８を各電線保持部４０Ａ，４０Ｂ（各環状部）に保持させる組み付け作業の際には、分断部４６を弾性変形させて開放すれば、簡単な横移動によって電線８を容易に各電線保持部４０Ａ，４０Ｂ（各環状部）に入り込ませることができる。よって、作業性が格段に高められる。
【００４０】
また、本実施例では、各電線保持部４０Ａ，４０Ｂに形成された各規制壁４２が傾斜壁となっている。このような規制壁４２（傾斜壁）を設けることにより、複数の電線８を幅方向一方側に寄せつつ保持する構造を、前後方向の寸法抑制及び左右方向の寸法抑制を両立しつつ実現できる。
【００４１】
＜他の実施例＞
以下、他の実施例を簡単に説明する。
（１）上述した実施例では、コネクタ１として、各キャビティ１０に雌型の端子金具４が収容されてなる雌コネクタの例を示したが、各キャビティ内に雄型の端子金具が収容された雄コネクタとして構成されていてもよい。
（２）上述した実施例では、２つの電線保持部４０によって複数本ずつ電線を分けて保持する例を示したが、１つの電線保持部によってすべての電線を幅方向一方側に寄せて保持する構成であってもよい。或いは、３以上の電線保持部が設けられていてもよい。
（３）上述した実施例では、電線保持部４０とコネクタハウジング２とが別体として構成された例を示したが、これらが一体として構成されていてもよい。
（４）上述した実施例では、２つの電線保持部４０のいずれにおいても、内壁部４１の全体がロックアーム６の配置領域ＡＲよりも幅方向外側に外れる例を示したが、電線保持部の内周壁の一部（例えば、規制壁の一部）が幅方向においてロックアームの配置領域に入り込んでいてもよい。
（５）上述した実施例では、後壁４４の上端位置がコネクタハウジング２の上端位置と同程度である例を示したが、後壁４４の上端位置がコネクタハウジング２の上端位置よりも上位置となるような高い壁構造であってもよい。
（６）上述した実施例では、後壁４４の全体が、複数のキャビティ１０よりも上位置に配置される例を示したが、後壁４４の一部がキャビティ１０と同程度の高さまで下方に延びていてもよく、キャビティ１０よりも下方位置まで延びていてもよい。
【符号の説明】
【００４２】
１…コネクタ
２…コネクタハウジング
４…端子金具
６…ロックアーム
８…電線
１０…キャビティ
４０…電線保持部
４２…規制壁（傾斜壁）
４２Ａ…規制壁面（傾斜壁面）
４４…後壁
４６…分断部
１０２…相手側ハウジング
ＡＲ…配置領域
Ｃ…中心位置
【図１】
2016201281.tif 000003
【図２】
2016201281.tif 000004
【図３】
2016201281.tif 000005
【図４】
2016201281.tif 000006
【図５】
2016201281.tif 000007
【図６】
2016201281.tif 000008